(57)【要約】      （修正有）【課題】掲示物を整理して掲示できるとともに、掲示物の内容の周知をより確実にすることができ、掲示も撤去も簡単に出来る文書掲示箱を提供する。【解決手段】掲示する文書は、内容が直近のものや重要なものと、長期間掲示しておくものとがある。それらを横に並べるのではなく、前者を前にして、後者を後ろにして、一つの箱に入れれば狭い壁面でも掲示することが出来る。掲示文書は同じ大きさの透明なファイルに挟んで前面の殆どが素通しになった透明な箱に入れる。ファイルの上部にインデックスを付けて内容を表示すれば、後方に入っている文書の内容が分かるし、インデックスをつまめばその文書の出し入れが簡単に出来る。箱の横に穴を開ければ、大きな文書は折り曲げてその穴から入れられる。小さい掲示文書は用紙に纏めて貼付して透明なファイルに挟んで箱に入れて整理する。【選択図】図５
2010097096.tif 000002
【特許請求の範囲】
【請求項１】
あまり広くない掲示場所に乱雑に掲示されている大小様々な掲示を目的とする文書類を、同じ大きさの透明ファイルに挟んで一つの箱の中まとめて入れ、そのファイルより大きな掲示用文書は折りたたんで箱の横穴からも入れて、掲示場所の美観と有効利用に役立てるとともに、重要な内容のものや直近の周知事項などが書かれた文書を挟んだ透明ファイルは箱の前面に出し、その他の文書類は箱の後部に入れて掲示物の整理も出来る、箱の前面中央部を大きく空けて掲示物を見やすくした、透明で堅固な材質で構成する掲示用の文書類を入れる文書掲示箱。
【発明の詳細な説明】
【技術分野】
【０００１】
本発明は、一般家庭や小規模事業所などにおける、掲示用の文書類の掲示方法に関する。
【背景技術】
【０００２】
従来、一般家庭や小規模事業所における掲示用文書類の掲示方法としては、黒板（例えば非特許文献１参照）や掲示板（例えば非特許文献２参照）がある。文書掲示箱という名称の発明品は見当たらないが、類似の発明品としては文書保持器（特許文献１）、掲示装置（特許文献２）、表示装置（特許文献３）、用紙セット型の掲示板（特許文献４）などがある。
【特許文献１】特開２００２−５２８７６
【特許文献２】特開２００４−１７０６５２
【特許文献３】特開平８−３２８４９１
【特許文献４】平３−１１９８８２
【非特許文献１】ＪＯＩＮＴＥＸ２００８カタログＰ４２０
【非特許文献２】ＪＯＩＮＴＥＸ２００８カタログＰ１０３３
【発明の開示】
【発明が解決しようとする課題】
【０００３】
近年一般家庭では、家庭ごみの分別収集や資源ごみの収集などについての周知事項を書いた文書類が多く出されるようになった。そのためにそれらを家庭内で掲示する必要が出てきた。家庭ごみの周知以外にも掲示を要する大小様々な文書類がある。多くの家庭では掲示板や黒板などを取り付ける広い壁面がないので、それらの文書類を冷蔵庫や家具の壁面にマグネットや画鋲や粘着テープなどでとめて掲示しているが、掲示する場所が狭いために掲示文書の上に他の掲示文書を重ねたりして乱雑になっている。こうした状況では、目的の掲示物がすぐに探せないし、家庭内の美観を損なう問題があった。
【０００４】
近年小規模事業所では、コンピュータやファクシミリの普及により、作業方法が変化し、職場内で周知を要する文書類が増加してきた。そのために広い掲示場所が必要になったが、事務所や作業所の大きさに限度があるので、掲示板や黒板などを設置するスペースのないケースが多い。やむなく収納庫や保管庫などの壁面にマグネットや画鋲や粘着テープなどを用いて掲示したり、フックに吊るしたクリップボードに数枚の掲示物を挟んで掲示したりしていた。事業所の構成員に掲示物の内容を早く確実に周知するために、狭い壁面であっても、見やすく、又良く整理された形
で掲示物を提示することが求められていた。
【０００５】
文献１の文書保持器は複数の紙片を並べて見易く掲示する目的で、４つの形態のものが提供されている。これらを一般家庭や小規模事業所の掲示物の課題を解決する立場で考えると、次のような問題点があるように思われる。掲示する文書類は通常普通紙やファクシミリの受信紙など薄くて腰のない用紙であるが、文書保持器では用紙の一部を挟んで、残りの部分は空中に浮かした形で提案されているが、そうした形で用紙を長い時間掲示しておくと、人が傍を通ったり風で吹かれたりして、用紙が折れ曲がって見にくくなることがあるのではないか。文書保持器の形態は前面に前に飛び出した形の係止具が備えられているが、一般家庭や小規模事業所では掲示場所の前が通路になっている場合が多いので、前面に飛び出したこの器具に人の肩や肘が当たるのではないか。精密電子機器類に配意して遮蔽物により磁石を遮断した形の補助具が提案されているが、そういう懸念があるならば磁石をまったく使わない方が良いのではないか。などである。
文献２の掲示装置は壁面に文書類の他に書物やコンパクトディスクなども保持しようとする目的で提案されているものであるが、壁面の狭い一般家庭や小規模事業所で求められる掲示装置とは目的が違うように思われる。
文献３の表示装置は商業ポスターや案内表示物の掲示装置に関するもので、一般家庭や小規模事業所の掲示装置とは掲示の目的が違っている。
文献４の用紙セット型の掲示板は集合住宅などで伝言などに使われる規模の大きな掲示装置で、一般家庭や小規模事業所とは掲示の目的が違っている。
【課題を解決するための手段】
【０００６】
本発明は、一般家庭における掲示物の現状を解決するために、大小様々な掲示文書を１個の箱の中に納め、直近の掲示物や重要な掲示物を前面にして、他の掲示物は後方に入れて、乱雑に掲示物が掲示されていた壁面をクリアーにし、同時に掲示物の整理も出来る文書掲示箱を提供するものである。
【０００７】
本発明は、小規模事業所における掲示物の現状を解決するために、乱雑に掲示されている掲示文書を、直近の掲示物や重要な掲示物を前面にして、他の掲示物は後方に入れて整理し、作業所内の美観の向上とともに、掲示物の内容の周知をより確実にすることができる文書掲示箱を提供するものである。
【０００８】
本発明は、一般家庭や事業所の掲示物に使用される文書の殆どが、パソコンのプリンターから出力された普通紙やファクシミリで受信される受信紙など、薄くて腰の弱い用紙であるために、その文書を掲示する方法として、四隅を画鋲でとめたり、セロテープで貼付したり、マグネットで押さえたり、又クリップボードに挟むなど手間のかかる方法がとられていた。又、それらを撤去する時にも手間がかかっていた。この状態を解決するために、クリアーホルダーなどの商品名で一般に流通している透明なファイルに掲示文書を挟み、それを箱へ出し入れするだけで、簡単に掲示も撤去も出来る文書掲示箱を提供するものである。
【発明を実施するための最良の形態】
【０００９】
一般家庭における掲示物は次のように分類することが出来る。
比較的大きな掲示物。
自治体によってはＢ３ほどの大きさの「家庭の資源とごみの収集カレンダー」とか「防災マップ」などを配布している。これらをそのまま広げて掲示すると掲示場所を占領してしまい、他の掲示物を張り出すスペースが少なくなってしまう。Ｂ３のものならば縦方向で４つに折りたたみ、その文書の中で特に必要な個所を表側にして、文書掲示箱の横の穴から差し込んで掲示することが出来るので、大きく占領していたスペースを空けることが出来る。それらの掲示物の折りたたんで見えなくなっている部分を見たい時は、横穴から抜き出して、広げて簡単に見ることが出来る。
Ａ４の大きさの掲示物。
掲示文書の多くは、Ａ４縦のものである。その内容を分析すると「資源ごみの収集日の連絡」「町内会の会合の連絡」など近日行われるものを内容とする掲示物と、「リサイクルステーション管理当番表」「ボランティア活動カレンダー」のような長い期間にわたる掲示物がある。前者は文書掲示箱の前面に出し、後者は箱の後ろに入れておけば、複数枚を並べたり重ねたりしていた文書が、Ａ４縦１枚分のスペースにまとまり、掲示場所の美化と掲示物の整理が同時に出来る。
掲示文書の多くがＡ４縦のものなので、提案する文書掲示箱の大きさは、Ａ４文書用のクリアーホルダーを縦に入れる大きさとして以下の説明をする。
Ａ４よりも小さい掲示物。
一般家庭ではＡ４よりも小さい各種の掲示物がある。「図書館の休館日」の表とか、「理髪店、美容院の休日」の手札形のカレンダーなど、Ａ５のものや名刺大のものなど大きさは様々である。「ガス屋の電話番号」などメモ書きした紙片も掲示されていた。これらのものはＡ４の大きさの用紙に複数枚を並べてセロテープで留めてクリアーホルダーに入れ、文書掲示箱の後方へ入れたら、様々な大きさの掲示物によって乱雑になっていた掲示場所をすっきりさせることが出来る。それにより小さい掲示物の所在が固定されるので、それらの掲示物を探す手間が省ける。
【００１０】
小規模事業所における掲示文書はほとんどがＡ４縦型のもので、パソコンのプリンターから出力した普通紙やファクシミリの受信紙などである。いずれも薄くて腰の弱い用紙であるが、これらを掲示する時には、クリアーホルダーに挟んで文書掲示箱に入れるだけで掲示が出来る。通常は掲示をした順番に時系列に前から後へと掲示物を挟んだファイルを重ねて入れ、掲示文書を見る者はファイルが簡単に箱から取り出せるので、まとめて取り出して見ることができる。緊急な要件や重要な要件の掲示物がある場合は、その掲示文書を挟んだファイルを箱の最前列に入れて掲示しても良いし、ファイルの上部に付箋紙をつけて注意を促しても良い。
事業所において掲示物が増加する原因として大きいのは、構成員の全員がなかなか掲示物を見なくて片付かないという問題がある。多くの場合、掲示物を掲示する際に、その掲示物の空欄に回覧印が押せる枠を作ったゴム印を押して、掲示文書を見た者はその枠の中へ自分の印を押していくやり方が採られているが、掲示物の管理者がその回覧印をチェックして、その文書をまだ見ていない者がある場合は、その文書を挟んだファイルに上部にまだ見ていない者の名前を書いた付箋紙を付けると、文書を早く見るようになって、掲示文書の周知が早く確実に出来るようになる。
【００１１】
文書掲示箱を取り付けるには、箱の上部にある二つの穴に紐を通して固定されたフックに紐で掛ける方法と、箱の裏面にマグネットを貼付して鉄製の壁面に固定する方法と、底部が平らな箱なので事務机などの上に置き後ろの壁などに立てかけて置く方法がある。マグネットを使わなくても紐で吊るせるので、精密電子機器の近くでも心配なく掲示物を置ける。固定されたフックがあれば箱を吊るすことが出来るので、壁面でなく柱の前ででも掲示物を掲示することが出来る。
【００１２】
文書掲示箱に投入する透明ファイルの上部に突起をつけると使いやすい。箱の中には複数枚のファイルが入るので、突起をつければファイルを箱から抜くときに指でつまんで楽に取り出せる。その突起をインデックス状にして、ファイルに挟んである文書の名前や分類名などを記入すれば、目的のファイルを簡単に見つけることができる。
この文書掲示箱を商品として提供するときには、複数枚の透明ファイルを文書掲示箱とセットにして提供すれば顧客の利便を図ることができる。提供するファイルを箱に投入したとき、各ファイルの突起部が前から見て重ならないように、各ファイルの上部の突起を横にスライドさせると良い。例えば５枚のファイルをセットにするならば、インデックスは横に５枚並んだ状態になるようにすると、そこに書かれた名前などを、すぐに簡単に見つけることが出来る。
こうした突起のついたファイルにはカルテホルダーという商品がある。その中には突起が横に３枚スライドした位置についているものもある（ＣＲＯＷＮオフィス図鑑２００８ＶＯＬ３８の２８２ページ）が、文書掲示箱用を提供する場合には、投入するファイルの数に合わせて、横にスライドした突起をつけたセットにすると良い。
ファイルと上部の突起とを続いた形にすると、材質がポリピロピレン製なので、掲示文書の内容が突起部へボールペンなどで記入することが出来なくなる。文書掲示箱を提供する場合は、突起の大きさに合わせた大きさの書き込みが出来るシールをセットにして添付すると良い。
【００１３】
一般家庭でも事業所でも掲示文書が多くて、１つの文書掲示箱では満足に掲示が出来ない場合もある。文書掲示箱の採用により壁面にスペースが出来たので、文書掲示箱を横に複数個並べて使うことが出来るようになる。掲示する内容により文書を投入する箱を区別しておけば、掲示物の整理がしやすい。Ａ４より大きな掲示文書は折りたたんで横の穴から通して掲示するが、１個の文書掲示箱だと横から少しはみ出すが、
複数個の文書掲示箱を並べると横の穴が左右に連続するので、はみ出さずに掲示することが出来る。
【００１４】
文書掲示箱を製作する方法として、図４で１０ミリ角の棒で構成するとしているが、これを成型の方法で製作すると、箱の大きさを縦方向で約１０ミリ、横方向で約１５ミリ小さくすることが出来る。上の板と下の板を接着する手間が省けるので、大量に生産する場合は、単価を安くすることが出来る。
【図面の簡単な説明】
【００１５】
【図１】塩ビやアクリルなどのプラスチックで構成する下の板の表側である。  板の上部は１，２を直線にしなくて、５，６，７，８と下方へくぼみを作っているが、これは掲示文書を挟んだクリアーファイルを箱から取り出す時に、取り出すファイルの後ろ側に隙間を作って取り出しを容易にするものである。隙間の幅は箱の裏の足の高さと後ろの板の幅を足して約７ミリになる。 １９，２０は紐を通す穴である。この穴を通した紐で箱を吊り下げることが出来る。  ９．１０．１１．１２と１５，１６，１７，１８の２本の柱の間を、クリアーホルダーを出し入れするので、この間の幅はクリアーホルダーの幅より約１０ミリ広くする。  箱へ投入するファイルは底部の１３，１４，３，４で支えられる。
【図２】透明な塩ビやアクリルなどのプラスチックで構成する上の板である。  板の上部の高さは下の板より４０ミリ低い。これはファイルに入れたＡ４縦の文書の上部の表題部分を見やすくするためである。  ２１，２２，２３，２４は板をくり抜くが、通常この位置には文書の重要部分がくるので、より見やすくするために素通しにしている。  箱の底部の２３，２４は底の柱の１３，１４，３，４より１０ミリ高くしている。これは投入したファイルがたわんで箱の前へ出ないようにするためである。  素通しになっているところから指を入れて、箱の底部にたまったゴミやホコリを簡単に取り出すことが出来る。
【図３】下の板の裏側である。  板の四隅に高さ５ミリのプラスチック製の足をつける。これは箱を冷蔵庫の壁面などにつけた時に、冷蔵庫の放熱を妨げないように隙間を作るためのものである。マグネットをつける場合は、足の高さに合わせた高さのマグネット製品を、この足のすぐ下の位置に貼付する。
【図４】塩ビやアクリルなどのプラスチックで構成する細い棒である。  左の長い棒は１０ミリ角で、長さ２５０ミリである。箱の底部になるものである。  右上の短い２本の棒は１０ミリ角で、長さ４０ミリで箱の側面になるものである。底部と側面の３本の棒が上下２枚の板を繋いで幅１０ミリの箱を構成する。  左下の短い４本の棒は、箱の背面につける足である。長さが２５ミリ、幅が１０ミリ、高さが５ミリである。
【図５】本発明の全体図である。
【図１】
2010097096.tif 000003
【図２】
2010097096.tif 000004
【図３】
2010097096.tif 000005
【図４】
2010097096.tif 000006
【図５】
2010097096.tif 000007